(57)【要約】【課題】映像本来の画像にＯＳＤ表示することなく携帯端末で利用可能なデータを送信する。【解決手段】データ抽出部１７は、分離・デコード部１４から取得した映像信号、音声信号又はデータ信号から携帯電話機３で利用可能なデータを抽出する。抽出されたデータは、データ変換部１８でバイナリデータに変換され、データ挿入部１９でデータ画像に変換され、分離・デコード部１４からの映像信号のフレーム間に挿入されて表示される。表示部２３に表示された映像は撮像部３１で撮影される。モード切替部３２は、撮像信号からデータ画像を検出すると、データ受信モードに切り替えてデータ受信部３４に撮像信号を出力する。データ受信部３４で撮像信号からデータ画像が抽出され、データ変換部３５で元のデータにデコードされ、データ識別部３６によりデータの種別に応じた処理がされて、テレビ１から送信されたデータが表示部３７に表示される。【選択図】図１
2013172440.tif 000002
【特許請求の範囲】
【請求項１】
映像信号、音声信号又はデータ信号から携帯端末で利用可能なデータを抽出するデータ抽出手段と、
抽出された前記データに基づくデータ画像を前記映像信号のフレーム間に挿入するデータ挿入手段と、
前記データ画像が挿入された前記映像信号に基づく映像を表示する表示手段と
を備えたことを特徴とする映像表示装置。
【請求項２】
前記データ挿入手段は、前記携帯端末で識別可能なヘッダ信号であるデータ画像を前記映像信号のフレーム間に挿入した後に、前記データに基づくデータ画像を前記映像信号のフレーム間に挿入することを特徴とする請求項１に記載の映像表示装置。
【請求項３】
前記データ挿入手段は、前記データ画像の挿入を開始するときに、画面のコントラスト比が高くなるように調光を制御することを特徴とする請求項１又は２に記載の映像表示装置。
【請求項４】
前記データ挿入手段は、前記データ画像の挿入を開始するときに、前記表示手段の表示フレームレートを上げて駆動させることを特徴とする請求項１から３までのいずれか一項に記載の映像表示装置。
【請求項５】
前記データ挿入手段は、前記表示手段の表示フレームレートと前記携帯端末の撮影フレームレートとの差に応じて、同一の前記データ画像を前記映像信号のフレーム間に連続して挿入することを特徴とする請求項１から４までのいずれか一項に記載の映像表示装置。
【請求項６】
前記データ画像は、二次元コードであることを特徴とする請求項１から５までのいずれか一項に記載の映像表示装置。
【請求項７】
映像信号、音声信号又はデータ信号から抽出されたデータに基づくデータ画像が前記映像信号のフレーム間に挿入されて表示された画面を撮影する撮像手段と、
撮影信号から前記データ画像を抽出するデータ受信手段と、
抽出された前記データ画像を前記データに変換するデータ変換手段と、
変換された前記データに対応する画面を表示する表示手段と
を備えたことを特徴とする携帯端末。
【請求項８】
映像信号に基づく映像を表示する映像表示装置と、前記映像を撮影する撮像手段を備えた携帯端末とで構成されるデータ送受信システムであって、
前記映像表示装置は、
映像信号、音声信号又はデータ信号から携帯端末で利用可能なデータを抽出するデータ抽出手段と、
抽出された前記データに基づくデータ画像を前記映像信号のフレーム間に挿入するデータ挿入手段と、
前記データ画像が挿入された前記映像信号に基づく映像を表示する表示手段とを備え、
前記携帯端末は、
映像信号、音声信号又はデータ信号から抽出されたデータに基づくデータ画像が前記映像信号のフレーム間に挿入されて表示された画面を撮影する撮像手段と、
撮影信号から前記データ画像を抽出するデータ受信手段と、
抽出された前記データ画像を前記データに変換するデータ変換手段と、
変換された前記データに対応する画面を表示する表示手段とを備えた
ことを特徴とするデータ送受信システム。
【発明の詳細な説明】
【技術分野】
【０００１】
本発明は、データが含まれた映像を表示させ、表示された映像からデータを取得させる映像表示装置、携帯端末及びデータ送受信システムに関する。
【背景技術】
【０００２】
近年、携帯電話機等により、ＵＲＬ情報が記録された二次元コードを撮影して読み取ることで、ＵＲＬ情報に基づいてＷＥＢページにアクセスすることができる。
【０００３】
例えば、ゲームの所定条件がクリアされると、二次元コードをゲーム機の画面に表示させ、携帯電話機で二次元コードを撮影させて読み取らせ、二次元コードに基づくＷＥＢページにアクセスさせ、ゲームコンテンツを入手できるようにした技術が知られている（例えば、特許文献１を参照）。
【先行技術文献】
【特許文献】
【０００４】
【特許文献１】特開２００６−１９８２９６号公報
【発明の概要】
【発明が解決しようとする課題】
【０００５】
しかしながら、特許文献１の技術では、画像の一部に所定時間連続して二次元コードが映像にＯＳＤ表示され、映像本来の画像が二次元コードで遮られる上に見た目が悪いという問題があった。
【０００６】
本発明は上記課題に鑑みてなされたものであり、映像本来の画像にＯＳＤ表示することなく携帯端末で利用可能なデータを送信することができる技術を提供することを目的とする。
【課題を解決するための手段】
【０００７】
本発明の映像表示装置は、映像信号、音声信号又はデータ信号から携帯端末で利用可能なデータを抽出するデータ抽出手段と、抽出された前記データに基づくデータ画像を前記映像信号のフレーム間に挿入するデータ挿入手段と、前記データ画像が挿入された前記映像信号に基づく映像を表示する表示手段とを備えたことを特徴とする。
また、前記データ挿入手段は、前記携帯端末で識別可能なヘッダ信号であるデータ画像を前記映像信号のフレーム間に挿入した後に、前記データに基づくデータ画像を前記映像信号のフレーム間に挿入してもよい。
また、前記データ挿入手段は、前記データ画像の挿入を開始するときに、画面のコントラスト比が高くなるように調光を制御してもよい。
また、前記データ挿入手段は、前記データ画像の挿入を開始するときに、前記表示手段の表示フレームレートを上げて駆動させてもよい。
また、前記データ挿入手段は、前記表示手段の表示フレームレートと前記携帯端末の撮影フレームレートとの差に応じて、同一の前記データ画像を前記映像信号のフレーム間に連続して挿入してもよい。
また、前記データ画像は、二次元コードであってもよい。
本発明の携帯端末は、映像信号、音声信号又はデータ信号から抽出されたデータに基づくデータ画像が前記映像信号のフレーム間に挿入されて表示された画面を撮影する撮像手段と、撮影信号から前記データ画像を抽出するデータ受信手段と、抽出された前記データ画像を前記データに変換するデータ変換手段と、変換された前記データに対応する画面を表示する表示手段とを備えたことを特徴とする。
本発明のデータ送受信システムは、映像信号に基づく映像を表示する映像表示装置と、前記映像を撮影する撮像手段を備えた携帯端末とで構成されるデータ送受信システムであって、前記映像表示装置は、映像信号、音声信号又はデータ信号から携帯端末で利用可能なデータを抽出するデータ抽出手段と、抽出された前記データに基づくデータ画像を前記映像信号のフレーム間に挿入するデータ挿入手段と、前記データ画像が挿入された前記映像信号に基づく映像を表示する表示手段とを備え、前記携帯端末は、映像信号、音声信号又はデータ信号から抽出されたデータに基づくデータ画像が前記映像信号のフレーム間に挿入されて表示された画面を撮影する撮像手段と、撮影信号から前記データ画像を抽出するデータ受信手段と、抽出された前記データ画像を前記データに変換するデータ変換手段と、変換された前記データに対応する画面を表示する表示手段とを備えたことを特徴とする。
【発明の効果】
【０００８】
本発明によれば、映像本来の画像にＯＳＤ表示することなく携帯端末で利用可能なデータを送信することができる。
【図面の簡単な説明】
【０００９】
【図１】本発明に係る実施形態のデータ送受信システムの全体を示すシステム構成図である。
【図２】図１に示すデータ挿入部によりデータ挿入が行われる様子を示したイメージ図である。
【図３】図１に示すテレビのデータ送信処理の流れを示すフローチャートである。
【図４】図１に示す携帯電話機のデータ受信処理の流れを示すフローチャートである。
【発明を実施するための形態】
【００１０】
本実施形態のデータ送受信システムは、携帯電話機で利用可能なデータをデータ画像に変換して、映像信号のフレーム間に挿入して表示するテレビ（テレビジョン受像機）と、表示された映像を撮影し、撮影信号からデータ画像を抽出して元のデータに変換し、データの種別に応じた処理を行って表示する携帯電話機とで構成される。このデータ送受信システムによれば、テレビは、送信データをＯＳＤ表示しないので、映像本来の画像を遮ることなく携帯電話機で利用可能なデータを送信することができる。以下、図を参照して本発明の実施形態を詳細に説明する。
【００１１】
テレビ（映像表示装置）１は、チューナー部１１と外部入力部１２と入力切替部１３と分離・デコード部１４と音声処理部１５とスピーカ１６とデータ抽出部１７とデータ変換部１８とデータ挿入部１９とＯＳＤ（On Screen Display）処理部２０と加算部２１と表示制御部２２と表示部２３とを備えている。
【００１２】
チューナー部１１は、不図示のアンテナやケーブル等を介して受信した放送信号を選局し、入力切替部１３に出力する。
外部入力部１２は、例えば、リムーバブルメモリやブルーレイレコーダー等の不図示の外部機器から取得する映像音声信号を入力切替部１３に出力する。
入力切替部１３は、ユーザのリモコン操作等に応じて、入力信号の切り替えを行い、チューナー部１１からの放送信号又は外部入力部１２からの映像音声信号のいずれかを分離・デコード部１４に出力する。
【００１３】
分離・デコード部１４は、入力切替部１３を介してチューナー部１１からの放送信号を取得すると、映像信号と音声信号とデータ信号とに分離して、デコードした映像信号及び音声信号とデータ信号とを出力する。データ信号には、データ放送用信号やＥＰＧ（電子番組表）等がある。また、分離・デコード部１４は、入力切替部１３を介して外部入力部１２からの映像音声信号を取得すると、映像信号と音声信号とに分離して、必要に応じてデコードした映像信号及び音声信号を出力する。分離・デコード部１４から出力された映像信号、音声信号及びデータ信号は、それぞれ分岐されて、音声信号の一方が音声処理部１５に出力され、映像信号の一方がデータ挿入部１９に出力され、データ信号の一方がＯＳＤ処理部２０に出力される。分岐された他方の音声信号、映像信号及びデータ信号は、データ抽出部１７に出力される。
【００１４】
データ抽出部１７は、音声信号、映像信号又はデータ信号から携帯電話機３で通信可能な通信先情報を抽出してデータ変換部１８に出力する。通信先情報は、例えば、ＵＲＬ（Uniform Resource Locator）情報や電話番号、メールアドレス等である。具体的には、データ抽出部１７は、音声信号を取得すると、音声認識処理を行って、通信先情報を抽出し、データ変換部１８に出力する。また、データ抽出部１７は、映像信号を取得すると、フレーム画像に画像認識処理を行って、字幕等から通信先情報を抽出してデータ変換部１８に出力する。また、データ抽出部１７は、データ信号を取得すると、データ信号に含まれる通信先情報を抽出してデータ変換部１８に出力する。なお、通信先情報には、予め定められたキーワードや周波数信号等のインデックスが前後に付されていてもよく、この場合、データ抽出部１７は、インデックスを検出することにより簡単に通信先情報を抽出することができる。
【００１５】
データ変換部１８は、抽出された通信先情報をデータ挿入に適した形式、例えばバイナリデータに変換して、データ挿入部１９に出力する。バイナリデータには、パリティビット等の誤り訂正情報が付加されてもよい。
【００１６】
データ挿入部１９は、データ変換部１８からバイナリデータを取得すると、データ挿入を行う旨を示すヘッダ信号を生成する。ヘッダ信号は、受信側である携帯電話機３で識別可能な所定ビット列で構成される。
【００１７】
データ挿入部１９は、ヘッダ信号を生成すると、ＯＳＤ処理部２０を介してデータ挿入が開始される旨をＯＳＤ表示させる。これにより、例えば、表示部２３には、「データがあります。画面を携帯電話機で撮影してください。」等のメッセージが表示される。また、それとともに、データ挿入部１９は、携帯電話機３で画面を撮影して読み取りやすくさせるため、表示制御部２２を介してコントラスト比が高くなるように表示部２３の調光を制御してもよい。
【００１８】
そして、データ挿入部１９は、生成したヘッダ信号を挿入用の複数のデータ画像に変換して、所定の挿入タイミングでデータ画像を分離・デコード部１４から取得した映像信号のフレーム間に順次挿入する。例えば、図２（ａ）に示すように、ヘッダ信号が、例えば「100100・・・」である場合、データ挿入部１９により、「１」に対応してデータ画像ｄ１が生成され、「０」に対応してデータ画像ｄ２を生成され、・・・というように、ヘッダ信号の各ビットに対応したデータ画像が生成される。そして、例えば、映像画像ｇ１〜ｇ４・・・の連続するフレームの映像信号に対して、図２（ａ）に示すヘッダ信号が挿入されることで、データ挿入部１９から出力される映像信号は、図２（ｂ）に示すように、映像画像ｇ１、データ画像ｄ１、映像画像ｇ２、データ画像ｄ２、映像画像ｇ３、データ画像ｄ３、映像画像ｇ４、データ画像ｄ４、・・・の順となり、映像画像ｇ１〜ｇ４のフレーム位置がデータ画像ｄ１〜ｄ４によってそれぞれ後ろにずれる形となる。映像信号全体のフレームレートは、データ画像の挿入前後で同じである。なお、ここでは、説明を簡単にするために、映像信号の各フレーム間にデータ画像が挿入されるものとしているが、映像信号本来の映像による視聴を妨げないフレームレート、すなわち、ユーザが挿入されたデータ画像を目視できないレベルの挿入間隔で行われるとよい。
【００１９】
また、ここで、携帯電話機３の撮影フレームレートは、テレビ１の表示フレームレートと同一又はそれ以上であるものとするが、仮に、撮影フレームレートが表示フレームレートより低い場合、映像信号に挿入されたデータ画像が携帯電話機３で確実に撮影されない虞がある。この場合、データ挿入部１９は、携帯電話機３の撮影フレームレートと表示部２３の表示フレームレートとの差に応じて、データ画像を複数フレーム連続して挿入すればよい。例えば、表示部２３の表示フレームレートが６０ｆｐｓで、携帯電話機３の撮影フレームレートが３０ｆｐｓである場合、携帯電話機３で撮影可能なテレビ１のフレームは６０÷３０により２フレームに１つとなる。そのため、携帯電話機３にデータ画像を確実に撮影させるためには、データ挿入部１９は、同一のデータ画像を２フレーム連続して挿入すればよいことになる。つまり、仮に図２（ｂ）の場合で説明すると、映像画像ｇ１、データ画像ｄ１、データ画像ｄ１、映像画像ｇ２、データ画像ｄ２、データ画像ｄ２、映像画像ｇ３、データ画像ｄ３、データ画像ｄ３、映像画像ｇ４、データ画像ｄ４、データ画像ｄ４・・・の順となるよう挿入が行われる。この場合、同様に以下の通信先情報のデータ画像及びＥＯＦ信号のデータ画像も、テレビ１の表示フレームレートと携帯電話機３の撮影フレームレートとの差に応じて、連続して挿入されるフレーム数が調整される。また、データ挿入部１９は、連続してデータ画像を挿入する代わりに、表示フレームレートが撮影フレームレートになるように表示させてもよい。なお、撮影フレームレートと表示フレームレートとは、予めテレビ１の不図示の記憶部に設定されていればよく、撮影フレームレートはユーザのリモコン操作等によって適宜設定し直されてもよい。
【００２０】
データ挿入部１９は、ヘッダ信号の挿入が終わると、データ変換部１８から取得した通信先情報に対応するデータ画像を生成して、ヘッダ信号と同じ挿入間隔で映像信号のフレーム間にデータ画像を挿入する。これにより、通信先情報がデータ画像として映像画像のフレーム間に挿入される。
【００２１】
通信先情報の挿入が終わると、データ挿入部１９は、データ挿入が終了したことを示すＥＯＦ信号を生成し、ＥＯＦ信号に対応するデータ画像を生成して、ヘッダ信号と同じ挿入間隔で映像信号のフレーム間にデータ画像を挿入する。そして、データ挿入部１９は、ＥＯＦ信号の挿入を終了すると、ＯＳＤ処理部２０を介して、データ挿入が終了した旨をＯＳＤ表示させる。これにより、例えば、表示部２３に「データ挿入が終了しました。画面の撮影を止めてください。」等のメッセージが表示される。なお、メッセージは、音声処理部１５を介してスピーカ１６から出力されてもよい。
【００２２】
図１に戻り、データ挿入部１９によりデータ画像が挿入された映像信号は、加算部２１に出力され、ＯＳＤ処理部２０からのＯＳＤデータがある場合、ＯＳＤデータと合成されて表示制御部２２に出力される。
【００２３】
表示制御部２２は、加算部２１から取得した映像信号を調整して表示部２３に表示させる。
また、音声処理部１５は、分離・デコード部１４から取得した音声信号を調整してスピーカ１６から音声を出力させる。
【００２４】
これにより、表示部２３で映像が再生され、スピーカ１６から音声が再生されるとともに、表示された映像に、映像又は音声に含まれる通信先情報に対応したデータ画像がフレーム画像として挿入されて表示される。そのため、映像又は音声に含まれる通信先情報に携帯電話機３からアクセスさせるための例えば、通信先情報に対応する二次元コード等が映像にＯＳＤ表示されず、映像本来の表示領域が確保される。
【００２５】
ユーザは、テレビ１の視聴中に、データ挿入が開始された旨のメッセージが表示されると、表示部２３の画面を携帯電話機３で撮影する。
【００２６】
携帯電話機３は、撮像部３１とモード切替部３２と画像処理部３３とデータ受信部３４とデータ変換部３５とデータ識別部３６と表示部３７と通信部３８とを備えている。
【００２７】
撮像部３１は、ユーザ操作に応じて、表示部２３の画面を撮影して（読み取って）、撮影信号をモード切替部３２に出力する。
【００２８】
モード切替部３２は、撮影信号にデータ挿入部１９によるデータが挿入されているか否かによって、データ受信モードと画像モードとの切り替えを行う。モード切替部３２は、データ受信モードの間、撮影部から出力される撮影信号をデータ受信部３４に出力し、画像モードの間、撮影部から出力される撮影信号を画像処理部３３に出力する。
【００２９】
具体的には、モード切替部３２は、データ検出部３２１を有しており、データ検出部３２１により、撮影部からの撮影信号にヘッダ信号が存在する否かを監視している。データ検出部３２１によってヘッダ信号が検出されるまでは、画像モードになっており、画像処理部３３に撮影信号が出力される。データ検出部３２１は、ベタ画像であるヘッダ信号を検出するため、撮影信号の各フレーム画像の輝度ヒストグラムを生成し、輝度ヒストグラムにより、白又は黒１００％のみで構成されるベタ画像であるか判定する。そして、データ検出部３２１は、ベタ画像であると判定した複数のデータ画像が既知のヘッダ信号に対応しているか、すなわち、撮影信号にヘッダ信号が挿入されているか判定する。
【００３０】
データ検出部３２１によりヘッダ信号の挿入が検出されることがトリガとなり、モード切替部３２は、データ受信を開始したと判定して、データ受信モードに切り替え、撮影信号をデータ受信部３４に出力する。また、それとともに、モード切替部３２は、撮影信号の各フレーム画像に対し、データ検出部３２１によりヘッダ信号に対応するデータ画像が検出されたフレームタイミングをデータ受信部３４に出力する。データ受信部３４では、モード切替部３２から取得した撮影信号の各フレーム画像に対し、フレームタイミングに同期するフレーム画像を抽出することで、撮影フレームレートの映像信号中に存在するデータ画像を取得することができる。
【００３１】
一方、モード切替部３２は、データ検出部３２１により、撮影信号からＥＯＦ信号が検出されると、データ受信が終了したと判定して、表示部３７又は不図示の音声処理部を介してデータを受信した旨をユーザに通知する。ＥＯＦ信号もヘッダ信号と同様に予め定められたビット列に対応したデータ画像として撮影信号に含まれるので、データ検出部３２１は、検出したデータ画像が既知の識別可能なＥＯＦ信号に対応しているか判定することでＥＯＦ信号を検出することができる。この際、モード切替部３２は、画像モードに切り替えて、撮影信号を画像処理部３３に出力してもよい。なお、画像モードでは、画像処理部３３により撮影信号の画像処理が行われて、撮影画像が表示部３７に表示される。なお、モード切替部３２は、ユーザ操作に応じて、データ受信モードと画像モードとの切り替えを行ってもよい。
【００３２】
データ受信モードになると、データ受信部３４は、撮影信号の各フレーム画像に対し、モード切替部３２から取得したフレームタイミングに同期するフレーム画像をデータ画像として抽出し、データ画像に対応するバイナリデータをデータ変換部３５に出力する。
【００３３】
データ変換部３５は、データ受信部３４から取得したバイナリデータのデコードを行い、通信先情報に変換して、データ識別部３６に出力する。
【００３４】
データ識別部３６は、データ変換部３５から取得した通信先情報の種別を識別し、通信先情報の種別に応じた画面を通信先情報が設定された状態で表示部３７に表示させる。例えば、データ識別部３６は、通信先情報がＵＲＬ情報であると識別した場合、ＵＲＬ情報を表示部３７に表示させ、ＵＲＬ情報に基づくＷＥＢページにアクセスするため、通信を行ってもよいか否かをユーザに問い合わせる。データ識別部３６は、ユーザ操作により通信を行ってもよい旨が入力されたことを検出すると、通信部３８を介して、ＵＲＬ情報に基づくＷＥＢページにアクセスし、表示部３７にＷＥＢページを表示させる。なお、データ識別部３６は、通信先情報がＵＲＬ情報であると識別したときに、ユーザの承諾を得ることなく、自動的にＵＲＬ情報に基づくＷＥＢページにアクセスしてもよい。また、データ識別部３６は、例えば、通信先情報が電話番号であると識別すると、その電話番号が設定された状態の発信画面を表示部３７に表示させ、通信先情報がメールアドレスであると識別すると、そのメールアドレスが宛先に設定された状態のメール作成画面を表示部３７に表示させる。そのため、ユーザは、テレビ１で通信先情報が通知されたときに、通信先情報を携帯電話機３に手入力しなくて済む。
【００３５】
図３を参照して、テレビ１におけるデータ送信処理の流れを説明する。
【００３６】
ステップＡ１１で、データ抽出部１７は、放送信号又は外部機器からの映像音声信号を取得して、映像音声信号に対して画像認識処理や音声認識処理を行い、通信先情報を抽出する。ステップＡ１２で、データ変換部１８は、抽出された通信先情報をバイナリデータに変換する。ステップＡ１３で、データ挿入部１９は、ヘッダ信号を生成する。ステップＡ１４で、データ挿入部１９は、映像信号のフレーム画像間にヘッダ信号に対応するデータ画像を挿入する。ステップＡ１５で、データ挿入部１９は、映像信号のフレーム画像間に通信先情報に対応するデータ画像を挿入する。ステップＡ１６で、データ挿入部１９は、ＥＯＦ信号を生成する。ステップＡ１７で、データ挿入部１９は、映像信号のフレーム画像間にＥＯＦ信号に対応するデータ画像を挿入する。ステップＡ１８で、データ挿入部１９は、データ画像が挿入された映像信号に基づく映像を表示部２３に順次表示させ、本処理が終了する。
【００３７】
次に、図４を参照して、携帯電話機３におけるデータ受信処理の流れを説明する。
【００３８】
ステップＢ１１で、撮像部３１は、テレビ１の表示画面を撮影して撮影信号を生成する。ステップＢ１２で、モード切替部３２は、データ検出部３２１を介して、撮影信号からヘッダ信号を検出したか判定する。ステップＢ１２でＮｏの場合、ステップＢ１１に戻る。一方、ステップＢ１２でＹｅｓの場合、ステップＢ１３で、モード切替部３２は、データ受信モードに切り替えて、ヘッダ信号を検出したフレームタイミングと撮影信号とをデータ受信部３４に出力する。
【００３９】
ステップＢ１４で、データ受信部３４は、撮影信号からヘッダ信号を検出したフレームタイミングに同期するフレーム画像をデータ画像として抽出する。ステップＢ１５で、モード切替部３２は、データ検出部３２１を介して、撮影信号からＥＯＦ信号を検出したか判定する。ステップＢ１５でＮｏの場合、ステップＢ１４に戻る。一方、ステップＢ１５でＹｅｓの場合、ステップＢ１６で、表示部３７又は不図示の音声出力部は、データを受信した旨を通知する。ステップＢ１７で、データ受信部３４は、データ画像をバイナリデータに変換する。ステップＢ１８で、データ変換部３５は、バイナリデータをデコードして通信先情報に変換する。ステップＢ１９で、データ識別部３６は、通信先情報の種別を識別する。ステップＢ２０で、データ識別部３６は、通信先情報の種別に対応する画面を通信先情報が設定された状態で表示し、本処理を終了する。
【００４０】
以上により、本実施形態のテレビ１によれば、チューナー部１１を介して取得した放送信号又は外部入力部１２を介して取得した映像音声信号に含まれる通信先情報を抽出してデータ画像に変換し、ヘッダ信号とＥＯＦ信号とを付けて映像信号のフレーム間に挿入して表示させるので、映像本来の表示領域を妨げずに済む。また、本実施形態の携帯電話機３によれば、テレビ１の画面を撮影した撮影信号からヘッダ信号を検出し、データ受信モードに切り替えて、撮影信号からヘッダ信号を検出したフレームタイミングに同期するフレーム画像をデータ画像として抽出し、バイナリデータに変換して通信先情報にデコードし、通信先情報の種別に対応した画面を通信先情報が設定された状態で表示する。そのため、ユーザは、携帯電話機３によりテレビ１の画面を撮影するだけで、通信先情報が設定された状態の画面が表示され、テレビ１で通知されている通信先情報を手入力せずに通信先情報に簡易にアクセスすることができる。これによれば、例えば、ユーザが、不図示の外部機器を介してビデオ撮影する際に、返信先となるブログのＵＲＬ情報やメールアドレス等を口頭で一緒に録音すれば、記録した映像音声データを家族等に渡してテレビ１で再生してもらったときに、テレビ１の画面を携帯電話機３で撮影してもらうことで、簡単に返信先にアクセスしてもらうことができる。
【００４１】
なお、本実施形態では、データ挿入部１９により、映像信号のフレーム間にデータ画像が挿入されるため、画面のちらつきやフレーム遅延が生じることになる。そのため、データ挿入部１９は、データ画像の挿入に伴う画面のちらつきやフレーム遅延を軽減させるために、例えば、挿入するデータの１ビットを１フレームのベタ画像で表すのではなく、１フレームの挿入用画像を複数領域に分割し、分割した各領域にデータのビットを対応させて白又は黒で表すことで、１フレームのデータ画像で複数ビットを表し、挿入するデータ画像の枚数を減らしてもよい。例えば、データ画像は、バーコードや二次元コード等で構成されてもよい。また、データ挿入部１９は、表示制御部２２を介して、映像信号のフレーム数を増やして表示部２３の駆動速度を４倍や８倍等に倍速駆動させて表示フレームレートを上げたり、データ画像の挿入間隔を広げたりして、挿入したデータ画像によるちらつきが目立たないようにしてもよい。また、映像信号の各フレーム画像のフレームレートにおけるフレーム位置を変えずに、フレーム間にデータ画像を挿入させ、映像信号全体の中でデータ画像が挿入された部分だけフレームレートが高くなるようにしてもよい。この場合、データ画像が挿入された映像信号全体では、データ画像が挿入された部分だけフレームレートが高くなり、データ画像が挿入されていない部分のフレームレートが映像信号本来のままとなる。また、データ挿入部１９は、データ挿入の開始と同時にフレーム遅延量を音声処理部１５やＯＳＤ処理部２０を介してユーザに通知してもよい。
【００４２】
また、ヘッダ信号は、ベタ画像に限らず、所定模様で構成されたデータ画像の所定挿入順序により表されてもよい。例えば、データ検出部３２１は、撮影信号の各フレーム画像に画像認識処理を行って、模様ａのデータ画像→模様ｂのデータ画像→模様ｃのデータ画像の順にデータ画像を検出した場合に、ヘッダ信号を検出したと判定してもよい。また、データ検出部３２１は、画像認識処理により、データ画像の模様に対する認識範囲の過不足を検出して、表示部３７等を介して撮像領域が狭すぎる又は広すぎる旨をユーザに通知してもよい。
【００４３】
また、携帯電話機３でデータ画像を検出しやすくするため、データ挿入部１９によりデータ画像に認識マークが付加されてもよい。これによれば、認識マークにより携帯電話機３側で簡単にヘッダ信号を検出することができるので、ヘッダ信号に対応するデータ画像の模様に制約がなくなり、例えば通信先情報の種別やデータ長等の種々の情報が埋め込まれた模様のデータ画像が挿入されてもよい。また、データ挿入部１９は、画面のちらつきを抑えるため、データ画像が挿入される映像信号の前後のフレーム画像に類似するようにデータを配置したデータ画像を生成して挿入してもよい。また、データ画像に認識マークが付加されている場合、データ検出部３２１は、撮影信号の各フレーム画像に画像認識処理を行って、認識マークが付加されているフレーム画像を検出したときに、データ受信モードに切り替えればよい。また、データ受信部３４が、撮影信号の各フレーム画像に画像認識処理を行って、認識マークが付加されているフレーム画像をデータ画像として抽出してもよい。
【００４４】
また、データ挿入部１９は、ユーザが携帯電話機３での撮影に失敗したときのため、ヘッダ信号からＥＯＦ信号までの一連のデータ画像の挿入を所定回数繰り返してもよい。例えば、通信先情報としてＡが抽出された場合、ヘッダ信号→Ａ→ＥＯＦ信号→ヘッダ信号→Ａ→ＥＯＦ信号・・・というようにデータ挿入が繰り返されてもよい。また、携帯電話機３の不図示の赤外線発光部からテレビ１の不図示の受光部に、データ受信の進行状態を赤外線等により通知してもよい。
【００４５】
また、通信先情報が複数ある場合、例えば、通信先情報としてＡ，Ｂが抽出された場合は、ヘッダ信号→Ａ→ＥＯＦ信号→ヘッダ信号→Ｂ→ＥＯＦ信号→ヘッダ信号→Ａ→ＥＯＦ信号→ヘッダ信号→Ｂ→ＥＯＦ信号・・・というようにデータ挿入が繰り返されてもよい。データ識別部３６は、複数の通信先情報を識別した場合、いずれの通信先情報にアクセスするのかユーザに選択させてもよい。また、表示部２３が複数画面表示に対応している場合、例えば、例えば店舗のＵＲＬ情報に対応するデータ画像を表示部２３の画面中央から右側に表示させる映像信号に挿入させ、例えば店舗の地図のＵＲＬ情報に対応するデータ画像を画面中央から左側に表示させる映像信号に挿入させる等、複数のデータを一度に表示させてもよい。
【００４６】
また、本実施形態では、データ抽出部１７は、携帯電話機３で通信可能な通信先情報を抽出するものとして説明したが、通信先情報に限らず、携帯電話機３で利用可能なデータを抽出すればよい。例えば、データ抽出部１７は、放送信号のデータ信号から天気予報情報を抽出し、データ挿入部１９を介してデータ挿入させてもよい。データ識別部３６は、データが天気予報情報であると識別すると、例えば、晴れマーク等を表示部３７に表示させてもよい。
【００４７】
本発明は上述した実施の形態に限定されるものではなく、本発明の趣旨を逸脱しない範囲で種々様々に変更が可能であることは言うまでもない。例えば、携帯電話機３に限らず、例えばカメラ付きゲーム機等のカメラを備えた携帯端末であってもよい。なお、上記実施形態において、同様の機能を示す構成には、同一の符号を付してある。
【符号の説明】
【００４８】
１：テレビ
３：携帯電話機
１１：チューナー部
１２：外部入力部
１３：入力切替部
１４：分離・デコード部
１５：音声処理部
１６：スピーカ
１７：データ抽出部
１８：データ変換部
１９：データ挿入部
２０：ＯＳＤ処理部
２１：加算部
２２：表示制御部
２３：表示部
３１：撮像部
３２：モード切替部
３３：画像処理部
３４：データ受信部
３５：データ変換部
３６：データ識別部
３７：表示部
３８：通信部
３２１：データ検出部
Ｘ：データ送受信システム
【図１】
2013172440.tif 000003
【図２】
2013172440.tif 000004
【図３】
2013172440.tif 000005
【図４】
2013172440.tif 000006